(57)【要約】【課題】  従来の「仏間シャッター」に替わる、住宅の仏壇置場の前面に設けられる襖または扉の開閉装置を提供する。【解決手段】  柱８の横の壁面８ｂに沿って、扉７と扉取付部材６が走行するための溝５を上下に設け、その溝５に沿って設けられたガイド部材３に誘導されるワイヤー１は、ワイヤー緊張具２によってループ状に形成されていることと、上下の溝５に沿っている２つの水平部分との間に形成される垂直部分で交叉することにより、扉取付部材６に隣接する側の上下の水平部分の水平ワイヤー１ａは、同時に同じ方向に同じ距離を移動することができ、その前記水平ワイヤー１ａに結合された扉取付部材６と扉７もまた一体となって、同時に平行移動し、扉取付部材６がもっとも手前の位置にあるとき、扉７が回転開閉できるように構成されていることを特徴とする。【選択図】図１
2013036317.tif 000002
【特許請求の範囲】
【請求項１】
扉と扉取付部材が走行するための上下の溝と、平行移動を成すためのワイヤー緊張具によってループ状に形成されたワイヤーと、前記上下の溝に沿って設けられた前記ワイヤーを誘導するためのガイド部材とによって構成されており、前記ループ状に形成されたワイヤーは、上部の溝に沿ったガイド部材に誘導される上部水平部分と、下部の溝に沿ったガイド部材に誘導される下部水平部分と、前記上下の水平部分の間に形成される垂直部分から成り、その前記垂直部分で前記ワイヤーが交叉することにより、前記扉取付部材に隣接する側の前記上下の水平部分のワイヤーは、同時に同じ方向に同じ距離を移動することができ、その前記上下の水平部分のワイヤーに結合されている前記扉取付部材も同時に平行移動し、その前記扉取付部材に結合されている前記扉も一体となって平行状態を維持しながら移動することができ、前記扉取付部材がもっとも手前の位置にあるとき、前記扉が回転開閉できるように構成されていることを特徴とする扉開閉装置。
【請求項２】
請求項１に記載の扉開閉装置を、両開きの左右の２枚の扉が設置される位置に取り付け、左右の垂直部分のワイヤーが反対側の垂直部分のワイヤーと交叉し、ワイヤー緊張具によって１本のループ状のワイヤーとなることによって、扉取付部材に隣接する側の上下・左右の水平部分のワイヤーは、同時に同じ方向に同じ距離を移動することができ、その前記上下の水平部分のワイヤーにそれぞれ結合されている前記左右の２枚の扉は、左右連動して開閉できるように構成されていることを特徴とする扉開閉装置。
【発明の詳細な説明】
【技術分野】
【０００１】  本発明は、住宅の仏壇置場の前面に設けられる、襖または扉の開閉装置に関するものである。
【背景技術】
【０００２】  従来は、図８に示しているような「仏間シャッター」と呼ばれる扉開閉装置が用いられますが、働き寸法（扉の移動距離）や許容荷重などの制約があったり、滑らかな開閉ができないという問題点があった。
【発明の開示】
【発明が解決しようとする課題】
【０００３】  図８に示している従来の仏間シャッター１０１は、中央の交叉している帯金物１０１ａと、前後のＬ型金物１０１ｂにより構成されており、帯金物１０１ａとＬ型金物１０１ｂの節点の一端はピン節点１０１ｃであるが、他端は帯金物１０１ａのピンがＬ型金物１０１ｂの長穴内をスライドする移動節点１０１ｄとなっており、長穴にはスライドするための「遊び」が必要であり、そのため扉１０４の動きに「ガタツキ」が生じ、滑らかな走行を妨げていた。。
また、間口寸法や高さ寸法、働き寸法や許容荷重などの制約があった。
そこで、上記制約に関係なく、滑らかな動きができる扉開閉装置を提供することを目的とする。
【課題を解決するための手段】
【０００４】  本発明は、上記課題を解決するためになされるもので、請求項１に記載の扉開閉装置は、扉と扉取付部材が走行するための上下の溝と、平行移動を成すためのワイヤー緊張具によってループ状に形成されたワイヤーと、前記上下の溝に沿って設けられた前記ワイヤーを誘導するためのガイド部材とによって構成されており、前記ループ状に形成されたワイヤーは、上部の溝に沿ったガイド部材に誘導される上部水平部分と、下部の溝に沿ったガイド部材に誘導される下部水平部分と、前記上下の水平部分の間に形成される垂直部分から成り、その前記垂直部分で前記ワイヤーが交叉することにより、前記扉取付部材に隣接する側の前記上下の水平部分のワイヤーは、同時に同じ方向に同じ距離を移動することができ、その前記上下の水平部分のワイヤーに結合されている前記扉取付部材も同時に平行移動し、その前記扉取付部材に結合されている前記扉も一体となって平行状態を維持しながら移動することができ、前記扉取付部材がもっとも手前の位置にあるとき、前記扉が回転開閉できるように構成されていることを特徴とする扉開閉装置を提供することである。
【発明の効果】
【０００５】  本発明は、仏壇置場だけでなく、家具や収納戸棚の扉にも応用でき、多様な寸法や条件に対応した扉開閉装置を提供することができる。
【発明を実施するための形態】
【０００６】  図１と図２に基づいて、本発明の概要を説明する。
ワイヤー１を誘導するガイド部材３である滑車４は、上下の水平部分である水平ワイヤー１ａが、常に溝５や床面９と水平・平行となるよう滑車軸受４ｍによって滑車取付部材４Ｐに設けられている。
その滑車取付部材４Ｐと付樋端５ｂとによって形成される、扉７と扉取付部材６が走行するための上下の溝５を、柱８の横の壁面８ｂに隣接する床面９と無目鴨居１０ｂの下端面に設ける。
「ループ状」と「交叉」を形成するためのワイヤー１の張り方は、ワイヤー緊張具２のフック２ａにワイヤー１の一端にあるワイヤーループ１ｃを引っ掛けてから、移動方向１１を示す矢印に従って、まず、上部内側（溝側と反対側）にある滑車Ａ４ａから滑車Ｂ４ｂへと内側を通し、次に溝側を通して滑車Ｃ４ｃを経て、交叉する形で下部内側にある滑車Ｄ４ｄへと進み、再び内側を通して滑車Ｅ４ｅを経て、次に溝側を通して滑車Ｆ４ｆを経てから、再び交叉する形で上部内側にある前記ワイヤー緊張具２のワイヤーエンド固定部２ｃに、ワイヤー１の他
2013036317.tif 000003
上下の滑車４に誘導されたワイヤー１は、ワイヤー緊張具２によって１本の「ループ状」に形成されていることと、奥側の垂直部分である垂直ワイヤー１ｂが「交叉」していることにより、溝側である扉取付部材６に隣接する側の上下の水平ワイヤー１ａは、同時に同じ方向に同じ距離を移動することができる。
よって、溝側にある上下の水平ワイヤー１ａとワイヤー結合具６ａで上下を結合された扉取付部材６も、溝側にある上下の水平ワイヤー１ａと同時に平行移動し、その扉取付部材６と片長丁番７ａで結合された扉７もまた一体となって、平行状態を維持しながら、同じ方向に同じ距離を移動することができる。
また、扉７の前面にある引手（図示せず）を持って、扉取付部材６をもっとも手前まで引き出し、滑車取付部材４ｐの前側に設けられたストッパー４ｑに、扉取付部材６の上下にあるワイヤー結合具６ａが当たる位置にあるとき、扉７が回転開閉できるように構成されている。
扉７の荷重は、片長丁番７ａによって結合されている扉取付部材６の下部に設けられている平戸車６ｂが受けるので、摩擦抵抗がなく滑らかに動くことができる。
ワイヤー１や扉７の移動方向１１や回転方向１１ａを示す矢印は、分かりやすくするために一方の方向のみを示しているが、もちろん双方に自由自在に動くことができ、扉取付部材６に隣接する側を「溝側」、反対側の隣接しない側を「内側」と呼称する。
図１〜図７では、ワイヤー１を誘導するガイド部材３として、滑車４にて作図をしているが、これにこだわるものではない。
また、ワイヤー１、滑車取付部材４ｐ、扉取付部材６、扉７、壁面８ｂ、床面９などは、切断・分割・省略した作図となっている。
【０００７】  図２と図３に基づいて、扉７を閉じる状況を説明する。
図３に示す開いた状態で奥まっている扉７の、前面にある取手（図示せず）を持って、もっとも手前まで引き出した位置にあるとき、扉７を柱８と反対側の方向に回転すると、無目１０ａの下端に設けられているキャッチ（図示せず）に保持され、図２に示す閉じた状態となる。
扉取付部材６の上下にあるワイヤー結合具６ａが、滑車取付部材４ｐの前側に設けられたストッパー４ｑに当たる位置にあるとき、扉７が回転開閉できるように構成されており、その回転開閉をスムーズに行なうとともに、閉めたときに、その扉７と柱８との隙間を適正にするための戸决り８ａが、柱８には施されている。
【０００８】  図３に基づいて、扉７を引き込んで開く状況を説明する。
図２に示す閉じた状態の扉７の前面にある取手（図示せず）を持って、手前の柱８側の方向に回転開閉してから、奥に向かって引き込むことで扉７が開いた状態となる。
扉取付部材６の上下にあるワイヤー結合具６ａが、滑車取付部材４ｐの後側に設けられたストッパー４ｑに当たる位置にて、扉７は停止する。
【０００９】  図４に基づいて、扉７と扉取付部材６が走行する上下の溝５廻りについて説明する。
壁面８ｂに隣接する床面９に設けられた付桶端５ｂと、滑車取付部材４ｐに挟まれた部分を下部一本溝５ａ、上部無目鴨居１０ｂ下端面に設けられた付桶端５ｂと、滑車取付部材４ｐに挟まれた部分を上部一本溝５ａとする。
ワイヤー結合具６ａは、２つに分割したパーツにより構成されており、ワイヤー１をループ状に形成した後から、溝側である扉取付部材６に隣接する側の水平ワイヤー１ａを挟み込んでネジ２ｄにて固定するが、その時に、水平ワイヤー１ａの水平・平行と、扉取付部材６が垂直になるよう調整する。
扉取付部材６の下部に設けられている平戸車６ｂ部の断面を示しているが、片長丁番７ａによって結合されている扉７と共に、上下の一本溝５ａの内部を横ぶれすることなく移動することができる。
また、フック２ａにワイヤー１の一端であるワイヤーループ１ｃを引っ掛けて
2013036317.tif 000004
整することができるワイヤー緊張具２の構造も示している。
なお、上下の一本溝５ａは、下部を一筋敷居（図示せず）、上部を一筋鴨居（図示せず）とすることも可能である。
【００１０】  図５に基づいて、ワイヤー１と滑車４の廻りについて説明する。
滑車４に誘導された水平ワイヤー１ａは、上部内側の滑車Ａ４ａ〜滑車Ｂ４ｂ間、上部溝側の滑車Ｂ４ｂ〜滑車Ｃ４ｃ間、下部内側の滑車Ｄ４ｄ〜滑車Ｅ４ｅ間、下部溝側の滑車Ｅ４ｅ〜滑車Ｆ４ｆ間において、常に水平ワイヤー１ａどうし、あるいは床面９や無目鴨居１０ｂ下端面と、平行になるよう前側にある平使いの滑車Ｂ４ｂと滑車Ｅ４ｅは滑車軸受Ａ４ｎによって、後側にある竪使いの滑車Ａ４ａと滑車Ｃ４ｃ、滑車Ｄ４ｄと滑車Ｆ４ｆは滑車軸受Ｂ４ｏによって構成されている。
滑車４を滑車軸受４ｍによって取り付け、ユニット化された滑車取付部材４ｐは、上下・左右兼用することができ、ストッパー４ｑもネジ穴を工夫することで向きを変えることもできるので共通化することができる。
扉７の停止する位置は、上下の滑車取付部材４ｐに設けられている前後のストッパー４ｑに、扉取付部材６の上下に設けられているワイヤー結合具６ａが当たる位置である。よって、扉７の移動距離は、前後のストッパー４ｑの内法寸法から、ワイヤー結合具６ａの巾寸法を引いたものとなる。
【００１１】  図６に基づいて、扉７と扉取付部材６の廻りについて説明する。
扉取付部材６は、上下のワイヤー結合具６ａによって上下の溝側の水平ワイヤー１ａと結合されており、さらに、片長丁番７ａによって、扉７とも結合されていることを示しており、水平ワイヤー１ａが適正な張り加減であることにより、前後にぶれることなく移動することができる。
両方の荷重は、扉取付部材６の下部に設けられている平戸車６ｂが受けるが、回転することで摩擦抵抗がなく滑らかに動くことができる。
なお、平戸車６ｂを設けなくても機能上の問題はない。
【００１２】  図７に基づいて、請求項２に記載の左右連動する両開き戸について説明する。
前段落までの片開き戸の扉開閉装置とディティールは同じであるが、図７の模式図が示すように、奥側の垂直部分にて左右のワイヤー１が交叉し、ワイヤー緊張具２によって１本のループ状のワイヤー１となることによって、左右連動して開閉することができる。
ワイヤー１の張り方は、ワイヤー緊張具２のフック２ａにワイヤー１の一端にあるワイヤーループ１ｃを引っ掛けてから、移動方向１１を示す矢印に従って、まず、上部内側（溝側と反対側）にある滑車Ａ４ａから滑車Ｂ４ｂへと内側を通し、次に溝側を通して滑車Ｃ４ｃを経て、交叉する形で下部内側にある滑車Ｄ４ｄへと進み、再び内側を通して滑車Ｅ４ｅを経て、次に溝側を通して滑車Ｆ４ｆを経てから、反対側へ交叉する形で上部内側にある滑車Ｇ４ｇへと進み、内側を通して滑車Ｈ４ｈを経て、次に溝側を通して滑車Ｉ４ｉを経てから、交叉する形で下部内側にある滑車Ｊ４ｊへと進み、再び内側を通して滑車Ｋ４ｋを経て、次に溝側を通して滑車Ｌ４ｌを経てから、再び反対側へ交叉する形で上部内側にあ
2013036317.tif 000005
縛し、適正な張り加減になるよう調整ナット２ｂにて調整することによって、１本の「ループ状」に形成されたワイヤー１が完成する。
よって、左側上部の滑車Ｂ４ｂ〜滑車Ｃ４ｃ間、左側下部の滑車Ｅ４ｅ〜滑車Ｆ４ｆ間、および、右側上部の滑車Ｈ４ｈ〜滑車Ｉ４ｉ間、右側下部の滑車Ｋ４ｋ〜滑車Ｌ４ｌ間の溝側の水平ワイヤー１ａは、同時に同じ方向に同じ距離を移動することができ、左右それぞれ、前記上下の水平ワイヤー１ａとワイヤー結合具６ａで上下を結合された、左右の扉取付部材６および扉７は、左右連動して平行移動・開閉することができる。
後側に設けられる滑車軸受Ｂ４ｏは、内側と溝側の滑車４の位置を少しずらす（図示せず）ことと、滑車４の角度を変えることができる可動軸（図示せず）にすることで、多様な寸法や取り付け箇所に対応することができる。
【図面の簡単な説明】
【００１３】
【図１】  扉開閉装置を示す概念図である。
【図２】  扉を閉じた状態の水平断面図である。
【図３】  扉を引き込んで、開いた状態の水平断面図である。
【図４】  図２、図３における、Ａ−Ａ線垂直断面図である。
【図５】  図２、図３、図４における、Ｂ−Ｂ線正面図である。
【図６】  図２、図３、図４における、Ｃ−Ｃ線正面図である。
【図７】  請求項２に記載の、両開きの左右の２枚の扉が連動して開閉できることを示す、ワイヤーとガイド部材の模式図である。
【図８】  従来の開閉装置である「仏間シャッター」を説明するための概念図である。
【符号の説明】
【００１４】  １        ワイヤー
１ａ      水平ワイヤー
１ｂ      垂直ワイヤー
１ｃ      ワイヤーループ
２        ワイヤー緊張具
２ａ      フック
２ｂ      調整ナット
２ｃ      ワイヤーエンド固定部
２ｄ      ネジ
３        ガイド部材
４        滑車
４ａ      滑車Ａ
４ｂ      滑車Ｂ
４ｃ      滑車Ｃ
４ｄ      滑車Ｄ
４ｅ      滑車Ｅ
４ｆ      滑車Ｆ
４ｇ      滑車Ｇ
４ｈ      滑車Ｈ
４ｉ      滑車Ｉ
４ｊ      滑車Ｊ
４ｋ      滑車Ｋ
４ｌ      滑車Ｌ
４ｍ      滑車軸受
４ｎ      滑車軸受Ａ
４ｏ      滑車軸受Ｂ
４ｐ      滑車取付部材
４ｑ      ストッパー
５        溝
５ａ      一本溝
５ｂ      付桶端
６        扉取付部材
６ａ      ワイヤー結合具
６ｂ      平戸車
７        扉
７ａ      片長丁番
７ｂ      軸芯
８        柱
８ａ      戸决り
８ｂ      壁面
９        床面
９ａ      框
９ｂ      雑布摺
１０      鴨居
１０ａ    無目
１０ｂ    無目鴨居
１１      移動方向
１１ａ    回転方向
１０１    従来の仏間シャッター
１０１ａ  帯金物
１０１ｂ  Ｌ型金物
１０１ｃ  ピン節点
１０１ｄ  移動節点
１０２    従来の戸当り部材
１０３    従来の扉取付部材
１０４    従来の扉
１０５    従来の片長丁番
１０６    従来のキャッチ
１０７    従来の溝
１０８    従来の柱
１０９    従来の壁面
１１０    従来の床面
１１１    従来の框
【図１】
2013036317.tif 000006
【図２】
2013036317.tif 000007
【図３】
2013036317.tif 000008
【図４】
2013036317.tif 000009
【図５】
2013036317.tif 000010
【図６】
2013036317.tif 000011
【図７】
2013036317.tif 000012
【図８】
2013036317.tif 000013
【手続補正書】
【提出日】平成24年2月4日(2012.2.4)
【手続補正１】
【補正対象書類名】特許請求の範囲
【補正対象項目名】全文
【補正方法】変更
【補正の内容】
【特許請求の範囲】
【請求項１】
扉と扉取付部材が走行するための上下の溝と、平行移動を成すためのワイヤー緊張具によってループ状に形成されたワイヤーと、前記上下の溝に沿って設けられた前記ワイヤーを誘導するためのガイド部材とによって構成されており、前記ループ状に形成されたワイヤーは、上部の溝に沿った前記ガイド部材に誘導される上部水平部分と、下部の溝に沿った前記ガイド部材に誘導される下部水平部分と、前記上下の水平部分の間の奥側に形成される垂直部分から成り、前側に有する平使いの前記ガイド部材に誘導され溝側と内側を通る前記上下の水平部分の前記ワイヤーは、奥側に有する竪使いの前記ガイド部材に誘導され垂直部分の前記ワイヤーとなり、上部の溝側から下部の内側に通る前記ワイヤーと、下部の溝側から上部の内側に通る前記ワイヤーとが交叉することにより、前記扉取付部材に隣接する溝側の前記上下の水平部分の前記ワイヤーは、同時に同じ方向に同じ距離を移動することができ、その前記上下の溝側の水平部分の前記ワイヤーに結合されている前記扉取付部材も同時に平行移動し、その前記扉取付部材に結合されている前記扉も一体となって平行状態を維持しながら移動することができ、前記扉取付部材がもっとも手前に位置にあるとき、前記扉が回転開閉できるように構成されていることを特徴とする扉開閉装置。
【請求項２】
請求項１に記載の扉開閉装置を、両開きの左右の２枚の扉が設置される位置に取り付け、上下・左右の奥側に有するガイド部材に誘導される垂直部分のワイヤーは、一方の側の下部の溝側から他方の側の上部の内側に通る前記ワイヤーと、前記他方の側の下部の溝側から前記一方の側の上部の内側を通る前記ワイヤーとが交叉し、１本のループ状のワイヤーとなることによって、扉取付部材に隣接する溝側の上下・左右の水平部分の前記ワイヤーは、同時に同じ方向に同じ距離を移動することができ、その前記上下の溝側の水平部分の前記ワイヤーにそれぞれ結合されている前記左右の２枚の扉は、左右連動して開閉できるように構成されていることを特徴とする扉開閉装置。